(57)【特許請求の範囲】
【請求項１】
装置本体と、
重要物を保持可能かつ前記装置本体に対し着脱可能な複数の重要物ホルダと、
前記重要物ホルダ毎に前記装置本体からの取り外しを抑制するホルダロック部と、
前記重要物ホルダ毎に、当該重要物ホルダの前記装置本体からの取り外しに対する前記ホルダロック部による抑制の有無を制御し、前記複数の重要物ホルダのうち第一重要物ホルダの前記装置本体への装着の有無に基づいて、前記複数の重要物ホルダのうち前記第一重要物ホルダとは異なる第二重要物ホルダの前記装置本体からの取り外しの抑制の有無を制御する制御部と、
を備え、
更に、２つ以上の前記重要物ホルダが対応付けられた対応情報を記憶する対応情報記憶部と、
前記対応情報に基づく手順に反して前記重要物ホルダが前記装置本体に戻し入れられた場合に警報を出力する戻し入れ時警報出力部と、
を備えることを特徴とする重要物管理装置。
【請求項２】
前記制御部は、前記第一重要物ホルダが前記装置本体に装着されている場合、前記第二重要物ホルダの前記装置本体からの取り外しを前記ホルダロック部に抑制させる、請求項１に記載の重要物管理装置。
【請求項３】
前記重要物管理装置から前記重要物ホルダを取り外す操作者毎に、当該操作者が取り外し権限を有している重要物ホルダを記憶する権限記憶部と、
操作者を特定する認証部とを更に備え、
前記制御部は、前記認証部が特定した操作者が取り外し権限を有していない重要物ホルダの前記装置本体からの取り外しを前記ホルダロック部に抑制させる請求項１又は請求項２に記載の重要物管理装置。
【請求項４】
重要物ホルダ毎に前記装置本体からの当該重要物ホルダの取り外し操作を検出する取り外し操作検出部と、
前記装置本体からの取り外しが抑制されている重要物ホルダの取り外し操作を前記取り外し操作検出部が検出した場合に警報を出力する取り外し時警報出力部と、
を備える請求項１から３のいずれか一項に記載の重要物管理装置。
【請求項５】
前記対応情報記憶部は、２つ以上の前記重要物ホルダの前記重要物管理装置への戻し入れの順序を示す対応情報を記憶し、
前記戻し入れ時警報出力部は、第三重要物ホルダを戻し入れた後に第四重要物ホルダを戻し入れると前記対応情報で定められており、かつ、前記第三重要物ホルダが前記装置本体から取り外されている状態で、前記第四重要物ホルダが前記装置本体に戻し入れられた場合に警報を出力する、請求項１から４のいずれか一項に記載の重要物管理装置。
【請求項６】
前記戻し入れ時警報出力部は、第五重要物ホルダを戻し入れた後に第六重要物ホルダを戻し入れると前記対応情報で対応付けられている第五重要物ホルダ及び第六重要物ホルダのうち、前記第六重要物ホルダが前記装置本体に戻し入れられ、かつ、当該第六重要物ホルダの前記装置本体への戻し入れから所定時間が経過しても前記第五重要物ホルダが前記装置本体に戻し入れられていない場合に警報を出力する、請求項１から５のいずれか一項に記載の重要物管理装置。
【請求項７】
前記重要物ホルダは、さらに、重要物を保持可能な重要物保持部、及び、前記重要物保持部からの重要物の取り外しを抑制する重要物ロック部を備える、請求項１から６のいずれか１項に記載の重要物管理装置。
【請求項８】
装置本体と、
重要物を保持可能かつ前記装置本体に対し着脱可能な複数の重要物ホルダと、
前記重要物ホルダ毎に前記装置本体からの取り外しを抑制するホルダロック部と、
を備え、
更に、２つ以上の前記重要物ホルダが対応付けられた対応情報を記憶する対応情報記憶部と、
前記対応情報に基づく手順に反して前記重要物ホルダが前記装置本体に戻し入れられた場合に警報を出力する戻し入れ時警報出力部と、
を備えることを特徴とする重要物管理装置が、
前記重要物ホルダ毎に、当該重要物ホルダの前記装置本体からの取り外しに対する前記ホルダロック部による抑制の有無を制御し、前記複数の重要物ホルダのうち第一重要物ホルダの前記装置本体への装着の有無に基づいて、前記複数の重要物ホルダのうち前記第一重要物ホルダとは異なる第二重要物ホルダの前記装置本体からの取り外しの抑制の有無を制御する制御ステップを含み、
更に、前記対応情報記憶部が有する、２つ以上の前記重要物ホルダが対応付けられた対応情報に基づく手順に反して前記重要物ホルダが前記装置本体に戻し入れられた場合に警報を出力する制御ステップを含む重要物管理方法。
【請求項９】
装置本体と、
重要物を保持可能かつ前記装置本体に対し着脱可能な複数の重要物ホルダと、
前記重要物ホルダ毎に前記装置本体からの取り外しを抑制するホルダロック部と、
を備え、
更に、２つ以上の前記重要物ホルダが対応付けられた対応情報を記憶する対応情報記憶部と、
前記対応情報に基づく手順に反して前記重要物ホルダが前記装置本体に戻し入れられた場合に警報を出力する戻し入れ時警報出力部と、
を備えることを特徴とする重要物管理装置を制御するコンピュータに、
前記重要物ホルダ毎に、当該重要物ホルダの前記装置本体からの取り外しに対する前記ホルダロック部による抑制の有無を制御し、前記複数の重要物ホルダのうち第一重要物ホルダの前記装置本体への装着の有無に基づいて、前記複数の重要物ホルダのうち前記第一重要物ホルダとは異なる第二重要物ホルダの前記装置本体からの取り外しの抑制の有無を制御する制御ステップを実行させ、
更に、前記対応情報記憶部が有する、２つ以上の前記重要物ホルダが対応付けられた対応情報に基づく手順に反して前記重要物ホルダが前記装置本体に戻し入れられた場合に警報を出力する制御ステップを実行させるためのプログラム。
【発明の詳細な説明】
【技術分野】
【０００１】
本発明は、重要物管理装置、重要物管理方法及びプログラムに関する。
【背景技術】
【０００２】
鍵などの重要物を保管し管理する重要物管理装置に関連して幾つかの技術が提案されている。
例えば、特許文献１に記載の鍵管理装置は、管理対象である複数の鍵と一対一で鍵を保持する鍵ホルダと、鍵ホルダを整列状態で着脱可能に保持する装置本体とを有している。
この鍵管理装置では、持出・返却モード、交換モード、新規登録モード、およびログ出力モードでの使用が可能となっており、モードの切り替えは、モード切替の許可有の担当者識別番号をＩＤカードから読み取らせて可能となる。
この鍵管理装置を利用する担当者（例えば、銀行の行員）は、所有しているＩＤカードを鍵管理装置のカード読取部に読み取らせた後、持出・返却モードに入り、持ち出し可能な鍵の中から、所望する１つまたは複数の鍵を取り出すことができる。返却時も同様に、持出・返却モードから持ち出した１つまたは複数の鍵を鍵管理装置に返却する。鍵管理装置を活用することにより、担当者の鍵の持出から返却までの行為を、担当者識別番号とホルダ位置とを含め、時系列に管理し履歴を記録するため、後での当該重要物の追跡が容易になる。
【先行技術文献】
【特許文献】
【０００３】
【特許文献１】特開２０１４−０９１９９５号公報
【発明の概要】
【発明が解決しようとする課題】
【０００４】
金庫室の外扉用の鍵と内扉用の鍵など、複数の鍵がセットで用いられる場合がある。これら複数の鍵のうち一部が返却し忘れられると、セキュリティ上の不都合等が生じる可能性がある。
例えば、行員が外扉用の鍵と内扉用の鍵とを持ち出し、作業終了後に内扉用の鍵を施錠し忘れて金庫室内に残したまま外扉用の鍵で金庫室の外扉を施錠し、当該行員が手順ミスに気づかないまま、外扉用の鍵だけを返却する可能性がある。
【０００５】
この場合、内扉用の鍵が金庫室に残されたままの状態になり、外扉用の鍵の使用権限しか与えられていない行員が、金庫室の外扉を開けるだけで金庫室の内扉内に進入できるようになり、セキュリティ上の不都合等が生じる可能性がある。
【０００６】
本発明は、複数の鍵など複数の重要物が用いられる場合に、重要物を管理して不具合の可能性を低減させることができる重要物管理装置、重要物管理方法及びプログラムを提供する。
【課題を解決するための手段】
【０００７】
本発明の第１の態様によれば、重要物管理装置は、装置本体と、重要物を保持可能かつ前記装置本体に対し着脱可能な複数の重要物ホルダと、前記重要物ホルダ毎に前記装置本体からの取り外しを抑制するホルダロック部と、前記重要物ホルダ毎に、当該重要物ホルダの前記装置本体からの取り外しに対する前記ホルダロック部による抑制の有無を制御し、前記複数の重要物ホルダのうち第一重要物ホルダの前記装置本体への装着の有無に基づいて、前記複数の重要物ホルダのうち前記第一重要物ホルダとは異なる第二重要物ホルダの前記装置本体からの取り外しの抑制の有無を制御する制御部と、を備え、更に、２つ以上の前記重要物ホルダが対応付けられた対応情報を記憶する対応情報記憶部と、前記対応情報に基づく手順に反して前記重要物ホルダが前記装置本体に戻し入れられた場合に警報を出力する戻し入れ時警報出力部と、を備えることを特徴とする。
【０００８】
前記制御部は、前記第一重要物ホルダが前記装置本体に装着されている場合、前記第二重要物ホルダの前記装置本体からの取り外しを前記ホルダロック部に抑制させるようにしてもよい。
【０００９】
前記重要物管理装置から前記重要物ホルダを取り外す操作者毎に、当該操作者が取り外し権限を有している重要物ホルダを記憶する権限記憶部と、操作者を特定する認証部とを更に備え、前記制御部は、前記認証部が特定した操作者が取り外し権限を有していない重要物ホルダの前記装置本体からの取り外しを前記ホルダロック部に抑制させるようにしてもよい。
【００１０】
重要物ホルダ毎に前記装置本体からの当該重要物ホルダの取り外し操作を検出する取り外し操作検出部と、前記装置本体からの取り外しが抑制されている重要物ホルダの取り外し操作を前記取り外し操作検出部が検出した場合に警報を出力する取り外し時警報出力部と、を備えるようにしてもよい。
【００１２】
前記対応情報記憶部は、２つ以上の前記重要物ホルダの前記重要物管理装置への戻し入れの順序を示す対応情報を記憶し、前記戻し入れ時警報出力部は、第三重要物ホルダを戻し入れた後に第四重要物ホルダを戻し入れると前記対応情報で定められており、かつ、前記第三重要物ホルダが前記装置本体から取り外されている状態で、前記第四重要物ホルダが前記装置本体に戻し入れられた場合に警報を出力するようにしてもよい。
【００１３】
前記戻し入れ時警報出力部は、第五重要物ホルダを戻し入れた後に第六重要物ホルダを戻し入れると前記対応情報で対応付けられている第五重要物ホルダ及び第六重要物ホルダのうち、前記第六重要物ホルダが前記装置本体に戻し入れられ、かつ、当該第六重要物ホルダの前記装置本体への戻し入れから所定時間が経過しても前記第五重要物ホルダが前記装置本体に戻し入れられていない場合に警報を出力するようにしてもよい。
【００１４】
前記重要物ホルダは、さらに、重要物を保持可能な重要物保持部、及び、前記重要物保持部からの重要物の取り外しを抑制する重要物ロック部を備えるようにしてもよい。
【００１５】
本発明の第２の態様によれば、重要物管理方法は、装置本体と、重要物を保持可能かつ前記装置本体に対し着脱可能な複数の重要物ホルダと、前記重要物ホルダ毎に前記装置本体からの取り外しを抑制するホルダロック部と、を備え、更に、２つ以上の前記重要物ホルダが対応付けられた対応情報を記憶する対応情報記憶部と、前記対応情報に基づく手順に反して前記重要物ホルダが前記装置本体に戻し入れられた場合に警報を出力する戻し入れ時警報出力部と、を備えることを特徴とする重要物管理装置が、前記重要物ホルダ毎に、当該重要物ホルダの前記装置本体からの取り外しに対する前記ホルダロック部による抑制の有無を制御し、前記複数の重要物ホルダのうち第一重要物ホルダの前記装置本体への装着の有無に基づいて、前記複数の重要物ホルダのうち前記第一重要物ホルダとは異なる第二重要物ホルダの前記装置本体からの取り外しの抑制の有無を制御する制御ステップを含み、更に、前記対応情報記憶部が有する、２つ以上の前記重要物ホルダが対応付けられた対応情報に基づく手順に反して前記重要物ホルダが前記装置本体に戻し入れられた場合に警報を出力する制御ステップを含む。
【００１６】
本発明の第３の態様によれば、プログラムは、装置本体と、重要物を保持可能かつ前記装置本体に対し着脱可能な複数の重要物ホルダと、前記重要物ホルダ毎に前記装置本体からの取り外しを抑制するホルダロック部と、を備え、更に、２つ以上の前記重要物ホルダが対応付けられた対応情報を記憶する対応情報記憶部と、前記対応情報に基づく手順に反して前記重要物ホルダが前記装置本体に戻し入れられた場合に警報を出力する戻し入れ時警報出力部と、を備えることを特徴とする重要物管理装置を制御するコンピュータに、前記重要物ホルダ毎に、当該重要物ホルダの前記装置本体からの取り外しに対する前記ホルダロック部による抑制の有無を制御し、前記複数の重要物ホルダのうち第一重要物ホルダの前記装置本体への装着の有無に基づいて、前記複数の重要物ホルダのうち前記第一重要物ホルダとは異なる第二重要物ホルダの前記装置本体からの取り外しの抑制の有無を制御する制御ステップを実行させ、更に、前記対応情報記憶部が有する、２つ以上の前記重要物ホルダが対応付けられた対応情報に基づく手順に反して前記重要物ホルダが前記装置本体に戻し入れられた場合に警報を出力する制御ステップを実行させるためのプログラムである。
【発明の効果】
【００１７】
本発明によれば、複数の鍵など複数の重要物が用いられる場合に、重要物を管理して不具合の可能性を低減させることができる。
【図面の簡単な説明】
【００１８】
【図１】本発明の一実施形態に係る鍵管理装置を示す斜視図である。
【図２】本発明の一実施形態に係る鍵管理装置の装置本体を示す制御系ブロック図である。
【図３】本発明の一実施形態に係る鍵管理装置の鍵ホルダの着脱部材を示す斜視図である。
【図４】本発明の一実施形態に係る鍵管理装置の鍵ホルダの連結部材を示す斜視図である。
【図５】本発明の一実施形態に係る鍵管理装置の鍵、鍵ホルダおよび解除具を示す断面図であって、（ａ）は連結部材のロック状態を、（ｂ）は連結部材のロック解除状態を示すものである。
【図６】本発明の一実施形態に係る鍵管理装置の連結部材を示すもので、（ａ）は図５のＡ−Ａ断面図、（ｂ）は図５のＢ−Ｂ断面図である。
【図７】本発明の一実施形態に係る鍵管理装置における記憶部の記憶例である。
【図８】本発明の一実施形態に係る鍵管理装置における、（ａ）は持出状況データを、（ｂ）は付替状況データの各例を示すものである。
【図９】本発明の一実施形態に係る鍵管理装置におけるログ出力データの例である。
【図１０】本発明の一実施形態で、複数の鍵ホルダが取り出される場合の鍵管理装置の処理手順の例を示す図である。
【図１１】本発明の一実施形態で、管理者の承認を促すメッセージの例を示す図である。
【図１２】本発明の一実施形態で、複数の鍵ホルダが鍵管理装置に戻される場合の鍵管理装置の処理手順の例を示す図である。
【図１３】本発明の一実施形態で、複数の鍵ホルダが鍵管理装置に戻される場合の鍵管理装置の処理手順の、もう１つの例を示す図である。
【図１４】本発明の一実施形態に係る表示部が戻し入れ時警報にて表示するメッセージの例を示す図である。
【発明を実施するための形態】
【００１９】
以下、本発明の実施形態を説明するが、以下の実施形態は請求の範囲にかかる発明を限定するものではない。また、実施形態の中で説明されている特徴の組み合わせの全てが発明の解決手段に必須であるとは限らない。
まず、図１〜図９を参照して重要物管理装置の例に該当する鍵管理装置による鍵ホルダのロック、及び、鍵ホルダによる鍵のロックについて説明する。鍵ホルダは重要物ホルダの例に該当し、鍵は重要物の例に該当する。
【００２０】
第１実施形態の鍵管理装置１は、銀行等の金融機関の店舗で使用されるもので、図１に示すように、鍵１０と、一対一で鍵１０を保持する鍵ホルダ１１と、鍵ホルダ１１を整列状態で着脱可能に保持する装置本体１２とを有するものである。ここで、鍵１０は、その用途が、金融機関に設置された金庫の扉の開閉用、現金処理機の扉の開閉用、現金処理機の扉内の現金収納庫の扉の開閉用、現金処理機の扉内の回収庫の扉の開閉用、現金処理機の主電源のオン・オフ切り換え用等となっている。
【００２１】
装置本体１２は、装置主体部１４と、この装置主体部１４の上下方向中間部から下部に設けられた開閉部１５を覆う開閉可能なカバー１６とを有している。カバー１６は、装置主体部１４の側縁部に設けられたヒンジ１７を介して一端側が装置主体部１４に回動可能に連結されており、他端側の内面には、係合突起部１８および検出突起部１９が固定されている。
【００２２】
装置主体部１４には、カバー１６で閉塞されない上部に、担当者による暗証番号等の入力操作や文字の入力操作がなされる複数の操作キー２１ａを有する操作部２１と、日時、操作状況、アラーム情報およびガイダンス等を表示する液晶ディスプレイからなる表示部２２と、ＩＤカード２３が走査されると、このＩＤカード２３からデータを読み取るカードリーダ２４と、必要な情報を紙面に印字して鍵管理装置本体上面の排紙口２５ａから排紙するプリンタ部２５と、報知音を発生させるブザー２６とが設けられている。なお、ＩＤカード２３は、ＩＣチップを有する電子カードや磁気カード等からなるもので、鍵管理装置１の使用が許可されたすべての担当者にそれぞれ個別に準備されて他との識別のための個別の担当者識別番号等が記憶されている。また、操作部２１は、数字のほかに、アルファベット、ひらがなおよびカタカナのうちの少なくとも一種類の入力が可能となっている。必要により漢字変換を可能としても良い。
【００２３】
装置主体部１４には、カバー１６で閉塞されない側部に、主電源のオン・オフ操作が入力される電源スイッチ２７と、外部電源用の電源ケーブルが接続される接続部２８とが設けられている。
【００２４】
装置主体部１４には、カバー１６で閉塞される開閉部１５に、それぞれが一対一で対応する鍵ホルダ１１を取り外し不可となるようにロック状態で保持する多数の鍵保持部３１が上下二段に整列状態で設けられている。また、開閉部１５には、カバー１６の閉時に係合突起部１８が挿入される係合挿入穴３２と、カバー１６の閉時に検出突起部１９が挿入される検出挿入穴３３とが設けられている。さらに、開閉部１５には、収納部３４が設けられている。
【００２５】
係合挿入穴３２の内側には、係合挿入穴３２に挿入された係合突起部１８をロックおよびロック解除する電磁駆動式の図２に示すカバーロック機構３５が設けられており、検出挿入穴３３の内側には、検出挿入穴３３に挿入された検出突起部１９の挿入・非挿入を検出することでカバー１６が閉状態にあるか否かを検出する図２に示す閉検出センサ３７が設けられている。カバーロック機構３５は、カバー１６が閉じられることで検出突起部１９の挿入を閉検出センサ３７が検出したことを条件に、係合突起部１８を係合挿入穴３２内でロックする。
【００２６】
鍵管理装置１は、装置主体部１４の上部に設けられた取っ手３８を介して持ち運び可能となっており、また背面に設けられた折り畳み収納式のスタンド３９を用いることで机上等に傾斜状態で立設可能となっている。
【００２７】
鍵ホルダ１１は、装置本体１２の鍵保持部３１に対し着脱可能であって装着状態でロックされる図３に示す着脱部材４０と、この着脱部材４０に鍵１０を連結する図４に示す連結部材４１とからなっている。
【００２８】
着脱部材４０には、図３に示すように、厚さ方向に貫通する貫通穴４２が形成されており、一対一で保持する鍵１０を他の鍵１０と識別するための個別の着脱部材識別番号が記憶されたＩＣタグ４３が側面に貼着されている。さらに、着脱部材４０には、ＩＣタグ４３に記憶されたものと同じ個別の着脱部材識別番号が視認可能に表記された鍵識別表記部４４が側面に設けられている。
【００２９】
図１に示すように、複数の鍵保持部３１は、それぞれ、着脱部材４０が挿入される個別の着脱部材装着穴４５と、着脱部材装着穴４５に着脱部材４０が挿入されるとこれをロックしてロック状態で保持し、かつロック解除可能な個別の電磁駆動式の図２に示す鍵ロック機構４６とを有している。
【００３０】
また、鍵保持部３１は、それぞれが、同じ鍵保持部３１を構成する鍵ロック機構４６のロックを解除する際に押圧される操作ボタンであって点灯および点滅することで操作を案内可能な表示ランプ５０が一体に設けられた操作ボタン５１と、装着された着脱部材４０の図３に示すＩＣタグ４３と通信可能であって通信状態から非通信状態への切り替えで鍵１０の持ち出しを検出し非通信状態から通信状態への切り替えで鍵１０の返却を検出する図２に示すＩＣタグリーダ５２とを有している。すべての鍵保持部３１には、他の鍵保持部３１と識別するための例えば「００１」〜「０３０」のような個別の保持部識別番号が割り振られており、着脱部材装着穴４５の上側には、保持部識別番号が視認用に記載される保持部識別表記部５３が設けられている。
【００３１】
なお、上記では、鍵保持部３１に対する着脱部材４０の装着または取り外しの検出を、鍵保持部３１側のＩＣタグリーダ５２と着脱部材４０側のＩＣタグ４３との通信状態または非通信状態によって検出するようにしたが、これに限るものではない。鍵保持部３１に着脱部材４０の有無を検出する着脱センサを設け、着脱センサが着脱部材４０を検出することで、鍵保持部３１に着脱部材４０が装着されていることを検出し、他方、着脱センサが着脱部材４０を検出していないことで、鍵保持部３１から着脱部材４０が取り外されていることを検出するようにしても良い。
この場合、特に、鍵保持部３１に着脱部材４０が装着されていることを検出する際には、さらに、鍵ロック機構４６のロック作動状態をも確認して、鍵保持部３１に着脱部材４０がロック状態で装着されていることを検出するようにしても良い。
【００３２】
図２に示すように、鍵管理装置１は、鍵保持部３１毎に取り外し操作検出部４７を備える。この取り外し操作検出部４７は、鍵保持部３１が保持している鍵ホルダ１１を取り外す操作を検出する。例えば、取り外し操作検出部４７は、鍵保持部３１のうち鍵ホルダ１１を保持している部分にかかる圧力を検出する圧力センサを備え、この部分にかかる圧力を検出することで、鍵保持部３１から鍵ホルダ１１を取り外す操作（例えば、鍵ホルダ１１を引っ張る操作）を検出する。
【００３３】
特に、取り外し操作検出部４７が、鍵ロック機構４６が鍵ホルダ１１をロックしている状態で、鍵ホルダ１１を取り出す操作が行われたときに当該操作を検出することで、制御部１１５は、誤った操作が行われたときに表示部２２及びブザー２６を制御して警報を出力させることができる。
このように、制御部１１５は、装置本体１２からの取り外しが抑制されている鍵ホルダ１１の取り外し操作を取り外し操作検出部が検出した場合に、表示部２２及びブザー２６を制御して警報を出力させる。表示部２２及びブザー２６は、この警報を出力する点で、取り外し時警報出力部の例に該当する。
また、制御部１１５は、鍵管理装置１から取り出された鍵ホルダ１１の戻し入れ順序が、予め定められている順序と異なる場合も、表示部２２及びブザー２６を制御して警報を出力させる。表示部２２及びブザー２６は、この警報を出力する点で、戻し入れ時警報出力部の例に該当する。
【００３４】
なお、以上では、取り外し操作検出部４７として圧力センサを用い、鍵保持部３１のうち鍵ホルダ１１を保持している部分に掛かる圧力を検出することで、鍵保持部３１から鍵ホルダ１１を取り出す操作を直接検出する例を示したが、これに限るものではない。後に詳述するように、この鍵管理装置１においては、所望の鍵ホルダ１１を取り出す際には、所望の鍵ホルダ１１に対応し、表示ランプ５０が点滅する操作ボタン５１を押圧操作してから、この操作ボタン５１が設けられた鍵保持部３１の鍵ロック機構４６を駆動しロックを解除させ、鍵１０の付いた鍵ホルダ１１を取り外し可能としている。このため、鍵ホルダ１１に対応する操作ボタン５１を押圧操作の有無を確認することで間接的に取り外し操作を検出することができる。
これに基づき、対応する表示ランプ５０が点滅しておらず、且つ、鍵ロック機構４６が鍵ホルダ１１をロックしている状態で、鍵ホルダ１１を取り出す操作、すなわち、操作ボタン５１が押圧操作されたときに当該操作を検出することで、制御部１１５は、誤った操作が行われたとして表示部２２及びブザー２６を制御して警報を出力させることができる。操作ボタン５１の押圧操作は、取り外し操作検出部の例に該当する。
【００３５】
図５に示すように、鍵１０には、厚さ方向に貫通する貫通穴６０が形成されており、着脱部材４０とで鍵ホルダ１１を構成する連結部材４１は、着脱部材４０の貫通穴４２と鍵１０の貫通穴６０とに挿入可能な線状部材６２と、線状部材６２をその両端部を同時に収容した状態でロックする連結部材本体６３とからなっている。
【００３６】
線状部材６２は、線状のバネ鋼材等を塑性変形させることにより形成される可撓性の部材であり、半円より大きい円弧状の円弧状部６５と、円弧状部６５の一端および他端から径方向外側に互いに平行に延出する一対の延出部６６，６６と、一対の延出部６６，６６の円弧状部６５とは反対側の端部から互いに反対向きに延出する一対の係合部６７，６７とからなっている。線状部材６２を構成するこれら円弧状部６５、一対の延出部６６，６６および一対の係合部６７，６７は同一平面に配置されており、線状部材６２の両端部は一対の係合部６７，６７となっている。
【００３７】
連結部材本体６３は、合成樹脂を主体として形成される外側のケース６９と、合成樹脂で形成され線状部材６２の両端部である一対の係合部６７，６７を保持しつつケース６９内にスライド可能に設けられるスライド体７０とを有している。連結部材本体６３は、線状部材６２の一対の係合部６７，６７をスライド体７０で保持しつつ収容する。
【００３８】
ケース６９は、合成樹脂製のケース本体７１と、ケース本体７１内に埋設されてスライド体７０のケース６９に対するスライドを規制および規制解除するスライド規制部７２とからなっている。ケース本体７１は筒状をなしており、その長さ方向一側の内周部にスライド規制部７２が埋設され、その長さ方向他側の内周部がスライド体７０のスライドをガイドするスライドガイド穴７３となっている。スライドガイド穴７３には、図６（ａ）にも示すように、スライドガイド穴７３を横断するように変位規制部（近接方向移動規制部）７４が形成されている。図５に示すスライドガイド穴７３のスライド規制部７２とは反対側において、スライド体７０に線状部材６２が着脱される。
【００３９】
スライド規制部７２は、合成樹脂製の規制部本体７６を有しており、規制部本体７６には、スライドガイド穴７３に繋がってスライドガイド穴７３とともにスライド体７０のスライドをガイドするスライドガイド穴７７が形成されている。また、規制部本体７６には、スライドガイド穴７７内に一端が開口するように複数具体的には三カ所の収容穴７８がスライドガイド穴７７の延在方向に直交する姿勢でスライドガイド穴７７の延在方向に並んで形成されている。三カ所の収容穴７８には、それぞれ底部側に金属製のバネ８２が開口部側に金属製のロック部材８３が配置されている。
【００４０】
スライド体７０は、スライドガイド穴７３にスライド可能に収容される頭部８５と、スライドガイド穴７７にスライド可能に収容される胴部８６とを有しており、スライドガイド穴７３，７７を結ぶ方向にスライドする。頭部８５には、胴部８６とは反対側からスライド体７０のスライド方向に沿って挿入穴８８が形成されている。この挿入穴８８の対向する内壁面には、一対の係合穴９０，９０がスライド体７０のスライド方向に直交するように形成されている。スライド体７０には、挿入穴８８および一対の係合穴９０，９０の両方に直交して案内穴８７が形成されており、この案内穴８７の内側に、ケース本体７１の変位規制部７４が配置されている。スライド体７０は、案内穴８７が変位規制部７４で案内される。
【００４１】
一対の係合穴９０，９０には、線状部材６２の一対の係合部６７，６７が嵌合される。
具体的に、線状部材６２は、一対の係合部６７，６７を相互近接方向に移動させるように弾性変形させられた状態で、一対の係合部６７，６７および一対の延出部６６，６６が挿入穴８８の内側に配置され、この状態で弾性変形が解除されると、一対の係合部６７，６７が一対の係合穴９０，９０に嵌合することになる。この状態では、線状部材６２は、変形させられない限り移動不可となるようにスライド体７０の頭部８５に保持されることになる。
【００４２】
また、線状部材６２は、この状態から一対の係合部６７，６７を相互近接方向に移動させるように弾性変形させられると、一対の係合穴９０，９０から一対の係合部６７，６７が抜けることになって、スライド体７０の頭部８５から取り外し可能となる。つまり、線状部材６２は、両端の一対の係合部６７，６７が近接方向に移動させられることでスライド体７０に対し着脱される。
【００４３】
スライド体７０は、頭部８５をスライド規制部７２に近接させる図５（ａ）に示す所定のロック位置にあると、一対の係合穴９０，９０のスライド方向の位置を、案内穴８７の内側にあるケース本体７１の変位規制部７４に重ね合わせることになる。よって、このとき、スライド体７０の一対の係合穴９０，９０に一対の係合部６７，６７を嵌合させた状態にある線状部材６２は、一対の延出部６６，６６の間および一対の係合部６７，６７の間にケース本体７１の変位規制部７４が位置することになる。これにより、線状部材６２は、図６（ａ）にも示すように、変位規制部７４に当接して一対の係合部６７，６７および一対の延出部６６，６６の相互近接方向への移動が規制されることになる。
【００４４】
よって、スライド体７０が奥側のロック位置にあるとき、連結部材本体６３はスライド体７０に装着された線状部材６２を着脱不可にロックすることになり、しかも、線状部材６２の両端部を同時に収容した状態で着脱不可にロックする。その際に、ケース６９の変位規制部７４が、線状部材６２の両端の一対の係合部６７，６７の間に配置されてこれら係合部６７，６７の近接方向移動を規制する。
【００４５】
スライド体７０は、頭部８５をスライド規制部７２から離間させる図５（ｂ）に示す所定のロック解除位置にあると、スライド方向における一対の係合穴９０，９０の位置をケース本体７１の変位規制部７４よりも外側にずらすことになる。よって、この状態では、図６（ｂ）にも示すように、一対の係合部６７，６７が変位規制部７４から離間して相互近接方向への移動が許容されることになり、図５（ｂ）に示すスライド体７０の一対の係合穴９０，９０から一対の係合部６７，６７を抜いて挿入穴８８から線状部材６２を抜くこと、並びに、挿入穴８８に挿入された線状部材６２の一対の係合部６７，６７をスライド体７０の一対の係合穴９０，９０に嵌合させることが可能となる。
【００４６】
スライド体７０の胴部８６には、スライド方向に沿って鍵溝９１が形成されており、スライド体７０が図５（ａ）に示すロック位置にあるとき、三カ所の収容穴７８のそれぞれと対向可能な位置に三カ所の保持穴９２が形成されている。三カ所の保持穴９２は、スライド体７０のスライド方向に直交しており、それぞれの内部には、長さの異なる金属製の三つの駒９５が移動可能に配置されている。スライド体７０がロック位置にあるとき、三つの駒９５はそれぞれバネ８２の付勢力でロック部材８３により押圧されて保持穴９２の底部に当接している。このとき、スライド体７０は、三つのロック部材８３にスライド方向において当接してスライドが規制される。つまり、ロック部材８３を含むスライド規制部７２は、変位規制部７４が線状部材６２の両端部の近接方向移動を規制するロック位置でスライド体７０のスライドを規制する。なお、図５（ｂ）に示すように、三つのロック部材８３がバネ８２の付勢力に抗して移動して、それぞれのバネ８２とは反対側の端部位置を、スライド体７０の胴部８６と規制部本体７６との境界位置に一致させると、スライド体７０のスライドが可能となる。
【００４７】
連結部材４１には、一対一で保持する鍵１０を他の鍵１０と識別するための個別の連結部材識別番号が記憶された図４に示すＩＣタグ１００が上面に貼着されている。なお、ここでは、着脱部材４０に対して割り当てられた着脱部材識別番号と、連結部材４１に対して割り当てられた連結部材識別番号と、鍵保持部３１に対して割り当てられた保持部識別番号とを共通の番号としている。以下の説明では、この共通の識別番号を鍵類識別番号とする。
【００４８】
図１に示す装置本体１２の収納部３４には、図５に示す連結部材本体６３のスライド規制部７２による線状部材６２のロックを解除する解除具（ロック解除手段）１０１が収納されている。この解除具１０１は、収納部３４の奥側に固定される基板部１０２と、基板部１０２から収納部３４内に延出する延出板部１０３とを有しており、延出板部１０３には、所定の凹凸状の鍵山部１０４と、鍵山部１０４より基板部１０２側の押圧突起１０５とが形成されている。
【００４９】
収納部３４には、連結部材本体６３の線状部材６２とは反対側が挿入される。すると、収納部３４の内周面で案内される連結部材本体６３は、そのスライド体７０の鍵溝９１が解除具１０１の延出板部１０３と位置を合わせることになり、鍵溝９１に延出板部１０３を入り込ませる。スライド体７０が解除具１０１の押圧突起１０５に当接する位置で、凹凸状の鍵山部１０４が三つの駒９５を所定位置に移動させて、スライド規制部７２の三つのロック部材８３のそれぞれのバネ８２とは反対側の端部位置を、図５（ｂ）に示すようにスライド体７０の胴部８６と規制部本体７６との境界位置に一致させることになる。
【００５０】
よって、この状態では、スライド体７０が三つのロック部材８３にスライド方向において当接することはなく、ケース６９に対しスライド可能となる。このため、連結部材本体６３をさらに収納部３４の奥側まで挿入すると、図５（ｂ）に示すように、解除具１０１に当接して停止させられているスライド体７０に対してケース６９が移動してスライド体７０がケース６９に対して所定のロック解除位置まで相対移動する。その結果、線状部材６２が変位規制部７４から離れてスライド体７０から取り外し可能となる。このようにして、連結部材本体６３から取り外された線状部材６２に、着脱部材４０が貫通穴４２において保持されたり、鍵１０が貫通穴６０において保持されたり、着脱部材４０が取り外されたり、鍵１０が取り外されたりする。ここで、解除具１０１以外の部材が鍵溝９１に挿入されても、スライド規制部７２の三つのロック部材８３のそれぞれのバネ８２とは反対側の端部位置を、スライド体７０の胴部８６と規制部本体７６との境界位置に一致させることは極めて困難であり、よって、不正なロック解除を規制する。
【００５１】
つまり、解除具１０１は、連結部材本体６３のケース６９に挿入されてスライド規制部７２によるスライド体７０のケース６９に対するスライド規制を解除するとともにスライド体７０を押圧してスライドさせることになり、その結果、スライド体７０に装着された線状部材６２の両端部を変位規制部７４から離間させる。
【００５２】
また、この状態から、連結部材本体６３を収納部３４から引き抜くと、その初期は、スライド体７０が解除具１０１の鍵山部１０４に嵌合する三つの駒９５とともに留まり、ケース６９が移動する。ケース６９がスライド体７０に対し、スライド規制部７２の三カ所の収容穴７８の位置を三つの駒９５の位置に合わせるロック位置になると、三つの駒９５の上下移動が可能となり、スライド体７０が解除具１０１に対しスライド可能となって、解除具１０１から離れる。これにより、図５（ａ）に示すように三つの駒９５が三カ所の保持穴９２の底部に移動し、三つのロック部材８３がスライド体７０をケース６９に対しロックする。その結果、スライド体７０に保持された線状部材６２の一対の係合部６７，６７の間に変位規制部７４が配置されることになって、線状部材６２が取り外し不可となる。
【００５３】
つまり、解除具１０１は、連結部材本体６３のケース６９から抜かれると、スライド体７０に装着された線状部材６２の両端部の間に変位規制部７４を配置するとともに、スライド規制部７２によりスライド体７０のケース６９に対するスライド規制を行わせることになる。
【００５４】
上述した鍵ホルダ１１は、重要物ホルダの例に該当する。具体的には、鍵ホルダ１１は、線状部材６２と、連結部材本体６３とを備えて、装置本体１２に対し着脱可能である。
線状部材６２は、重要物保持部の例に該当する。具体的には、線状部材６２は、鍵１０の穴に通されて鍵を保持する。
連結部材本体６３は、重要物ロック部の例に該当する。具体的には、連結部材本体６３は、線状部材６２をロックして、線状部材６２からの鍵１０の取り外しを抑制する。
【００５５】
収納部３４の天井面には、ＩＣタグリーダ１０７が設けられており、このＩＣタグリーダ１０７は、図５（ｂ）に示すように収納部３４内に挿入された連結部材４１のＩＣタグ１００と通信可能でありＩＣタグ１００に記憶された鍵類識別番号を読み取る。
【００５６】
図１に示すように、収納部３４には開閉扉１１０が設けられている。装置本体１２には、開閉扉１１０を閉状態でロックおよびロック解除する電磁駆動式の図２に示す扉ロック機構１１１と、開閉扉１１０が閉状態にあるか否かを検出する閉検出センサ１１２と、扉ロック機構１１１のロックを解除する際に押圧されるものであって点灯および点滅可能な表示ランプ１１３が一体に設けられた操作ボタン１１４と、が設けられている。
【００５７】
装置本体１２は、上記各部を制御する制御部１１５と、制御部１１５とデータのやり取りが可能なＲＡＭやＨＤＤ等からなる記憶部１１６とを有している。
【００５８】
記憶部１１６は、権限記憶部１４１と、対応情報記憶部１４２とを備える。
権限記憶部１４１には、鍵管理装置１を使用可能な担当者識別番号および使用時に入力される暗証番号が記憶されており、また、それぞれの担当者識別番号について、モード切替（後述）の許可の有無および使用可能な鍵１０およびこれを保持する鍵保持部３１の鍵類識別番号が関連付けされて記憶されている。つまり、担当者の職務範囲や権限に応じてモード切替の許可の有無が決められるため、担当者毎にモード切替の許可の有無が記憶されている。また、担当者の職務範囲や権限に応じて使用可能な鍵１０が異なるため、担当者毎に鍵１０の持ち出しが可能な鍵保持部３１が決められており、この関係が記憶されている。さらに、担当者の職務範囲や権限に応じて、鍵１０の付け替えを行うことができる鍵ホルダ１１が決められており、この関係が記憶されている。
【００５９】
対応情報記憶部１４２は、対応情報を記憶する。対応情報では、２つ以上の鍵ホルダ１１が対応付けられている。対応情報で対応付けられている鍵ホルダ１１は、関連して用いられる鍵を保持している。関連して用いられる鍵の例として、金庫室の外扉の鍵と、金庫室の内扉の鍵とが挙げられる。また、関連して用いられる鍵のもう１つの例として、現金処理機の前扉の鍵（またはユニット引出しの鍵）と、現金処理機内の収納扉の鍵（スタッカの鍵）とが挙げられる。
【００６０】
これらの鍵を使用する者は、金庫室からの保管物の取り出しなど所望の目的のために、対応情報で対応付けられている２つ以上の鍵を全て持ち出して使用する必要がある。対応情報では、管理のために対応する鍵に第一、第二、・・・との順番が付されている。この鍵の順番は、鍵を使用する順番と同じであっても良いし、異なっていても良い。鍵を使用する順番を対応情報での順番とすることで、鍵管理装置１から鍵の取り出し及び格納を行うユーザが、直感的に順番を把握することができる。
第一の鍵、第二の鍵、・・・を保持している鍵ホルダ１１を、第一の鍵ホルダ１１、第二の鍵ホルダ１１、・・・と称する。第一の鍵ホルダ１１は、第一重要物ホルダの例に該当する。第二の鍵ホルダ１１は、第二重要物ホルダの例に該当する。
【００６１】
また、記憶部１１６には、各鍵保持部３１の鍵類識別番号に一対一で対応して、保持する鍵１０の用途情報（目的、適用箇所）が関連付けされて記憶されている。つまり、各鍵保持部３１には保持する鍵１０が一対一で決められており、鍵１０にはそれぞれ、金庫の扉開閉用、現金処理機の扉開閉用、現金処理機の現金収納庫の扉開閉用、現金処理機の回収庫の扉開閉用、現金処理機の主電源のオン・オフ切換用等の用途（目的、使用する場所）が決められているため、複数の鍵保持部３１それぞれについての、個別の保持部識別情報と、保持する鍵１０の用途情報とが関連付けされて記憶されている。例えば、記憶部１１６には、図７に一例を示すように、鍵類識別番号の「００１」とその用途情報としての「キンコ  トビラ」とが関連付けされて記憶されており、鍵類識別番号の「００２」とその用途情報としての「ＡＴＭ１ゴウキ  トビラ」とが関連付けされて記憶されており、鍵類識別番号の「００３」とその用途情報としての「ＡＴＭ１ゴウキ  シュウノウコＡ  カギ」とが関連付けされて記憶されており、鍵類識別番号の「００４」とその用途情報としての「ＡＴＭ１ゴウキ  カイシュウコ  カギ」とが関連付けされて記憶されている。
【００６２】
鍵管理装置１は、持出・返却モード、交換モード、新規登録モード、およびログ出力モードでの使用が可能となっており、これらのモードの切り替えは、モード切替の許可有の担当者識別番号をＩＤカード２３から読み取った場合にのみ可能となる。モード切替の許可無の担当者識別番号をＩＤカード２３から読み取った場合、制御部１１５は、以下の持出・返却モードを自動的に選択し、モード切替の許可有の担当者識別番号をＩＤカード２３から読み取った場合、表示部２２へモード選択画面を表示させる。この表示は、例えば「１．持出・返却モード  ２．交換モード  ３．新規登録モード  ４．ログ出力モード」といった表示となり、この場合、操作者は、操作部２１の操作キー２１ａの数字入力でモードを選択する。制御部１１５は、選択されたモードを実行する。
【００６３】
「持出・返却モード」
持出・返却モードについて説明する。カードリーダ２４にＩＤカード２３が走査された後、持出・返却モードが選択され、鍵１０の管理許可のために設定された暗証番号が操作部２１に入力される。すると、制御部１１５は、カードリーダ２４で読み取ったＩＤカード２３の担当者識別番号および操作部２１に入力された暗証番号を権限記憶部１４１に記憶されたデータと照合することで担当者識別番号および暗証番号が持出・返却モードを実行するにあたって適正であるか否かを判定する。適正である場合に、制御部１１５は、カバーロック機構３５を駆動してカバー１６のロックを解除するとともに、この担当者識別番号に対して設定された鍵類識別番号を有する鍵保持部３１をロック解除可能とするべく対応するすべての操作ボタン５１の表示ランプ５０を点滅させる。このように、操作部２１、カードリーダ２４および制御部１１５が、装置本体１２の使用の認証を行う。なお、担当者識別番号および暗証番号が適正である場合に、すべての鍵保持部３１をロック解除可能とする設定としても良い。
この認証は、制御部１１５の認証部１３１が実行する。従って、認証部１３１は鍵管理装置１の操作者（担当者）を特定する認証を行う。制御部１１５は、認証部１３１が特定した操作者が取り外し権限を有していない鍵ホルダ１１の装置本体１２からの取り外しを鍵ロック機構４６に抑制させる。
【００６４】
担当者は、ロックが解除されたカバー１６を開き、表示ランプ５０が点滅している鍵保持部３１の中から所望の鍵１０の付いた鍵ホルダ１１が保持された鍵保持部３１の操作ボタン５１を、保持部識別表記部５３に表記された鍵類識別番号の識別を視認して押すことになる（一つでも良いし複数でも良い）。つまり、複数の鍵保持部３１のそれぞれに設けられた操作ボタン５１は、持出・返却モードが設定されている場合に、複数の鍵保持部３１の中からいずれかを選択する選択指定を受け付ける。なお、各鍵保持部３１にそれぞれ設けられた保持部識別表記部５３を液晶素子とし、それぞれに対応する鍵類識別番号と用途情報とを表示させるようにしても良い。
【００６５】
そして、この表示ランプ５０が点滅した、選択指定の受け付け可能な操作ボタン５１の中から所望のものが担当者によって押圧操作されると、制御部１１５は、この表示ランプ５０を点灯させるとともに、この操作ボタン５１が設けられた鍵保持部３１の鍵ロック機構４６を駆動しロックを解除して、鍵１０の付いた鍵ホルダ１１を取り外し可能とする。
つまり、操作ボタン５１が鍵保持部３１の選択指定を受け付けると、制御部１１５は鍵ロック機構４６でこの選択指定された鍵保持部３１のロックを解除する。このように鍵保持部３１のロック状態が解除され、表示ランプ５０の点灯で持ち出し可能となったことが案内されている鍵保持部３１から、担当者が鍵１０の付いた鍵ホルダ１１を持ち出すことになる。なお、操作部２１への鍵類識別番号の入力でも、制御部１１５が、選択指定された鍵保持部３１を認識して、その鍵ロック機構４６を駆動しロックを解除するとともにその表示ランプ５０を点滅から点灯に切り替えるようになっている。
【００６６】
すると、制御部１１５は、この鍵保持部３１のＩＣタグリーダ５２が、鍵ホルダ１１のＩＣタグ４３と通信不可となることでその持ち出しを検出する。制御部１１５は、持ち出しが検出された表示ランプ５０を点滅状態に戻すとともに、この鍵ホルダ１１の持ち出しに際して読み取ったＩＤカード２３の担当者識別番号と、操作ボタン５１が押圧された鍵保持部３１の鍵類識別番号と、操作ボタン５１が押された鍵保持部３１からの鍵ホルダ１１つまり鍵１０の持出時刻と、返却時刻（この時点では未返却であるためデータは空欄とされる）とを含む図８（ａ）に示すような持出状況データを記憶部１１６に記憶させる。
【００６７】
上述した、鍵ロック機構４６は、ホルダロック部の例に該当する。具体的には、鍵ロック機構４６は、装置本体１２の着脱部材装着穴４５に着脱部材４０を挿入された鍵ホルダ１１をロックして、この鍵ホルダ１１の装置本体１２からの取り出しを抑制する。
また、表示ランプ５０は、上記のように点滅によって装置本体１２から取り外し可能な鍵ホルダ１１を表示する。従って、表示ランプ５０は表示部の例に該当する。
但し、装置本体１２から取り外し可能な鍵ホルダ１１の表示は、表示ランプ５０による表示に限らない。例えば、表示部２２が、装置本体１２から取り外し可能な鍵ホルダ１１の番号を表示するようにしても良い。
【００６８】
図８（ａ）に示す持出状況データの一例においては、「００１」の鍵類識別番号の鍵保持部３１から鍵１０の付いた鍵ホルダ１１を、「７７７」の担当者識別番号の担当者が、「１０：１０」の持出時刻で持ち出し、「１０：２０」の返却時刻で返却したことを表している。つまり、制御部１１５は、ＩＣタグリーダ５２の検出結果である持出時刻および返却時刻を、ＩＣタグリーダ５２の検出対象であるＩＣタグ４３に記憶された鍵類識別番号と関連付けて記憶部１１６に記憶させる。なお、当然のことながら、表示ランプ５０が点滅した以外の操作ボタン５１が操作されても、制御部１１５は、この操作ボタン５１が設けられた鍵保持部３１のロック状態を解除することはない。
【００６９】
そして、制御部１１５は、鍵１０の付いた鍵ホルダ１１が持ち出されるたびに、記憶部１１６に、上記した持出状況データを、持ち出し時間順に時系列的に並べて記憶させ、記憶用ログデータを作成する。
【００７０】
鍵１０の付いた鍵ホルダ１１の取り出し後（後述する返却後も同様）、担当者はカバー１６を閉じることになる。すると、カバー１６の係合突起部１８が、装置主体部１４の係合挿入穴３２に進入するとともに、カバー１６の検出突起部１９が、装置主体部１４の検出挿入穴３３に進入することになり、この検出突起部１９を閉検出センサ３７が検出すると、制御部１１５は、カバーロック機構３５でカバー１６を閉状態にロックする。なお、検出突起部１９を閉検出センサ３７が検出した状態で、操作部２１にロック操作が入力されると、カバーロック機構３５がカバー１６を閉状態でロックするようにしても良い。
【００７１】
次に、返却時について説明する。担当者は、ロックが解除されたカバー１６を開き、表示ランプ５０が点滅している鍵保持部３１の中から、鍵１０の付いた鍵ホルダ１１の鍵識別表記部４４に表記された鍵類識別番号と同じ鍵類識別番号が表記された保持部識別表記部５３を有する鍵保持部３１の着脱部材装着穴４５に、鍵ホルダ１１を挿入する（一つでも良いし複数でも良い）。すると、制御部１１５は、ＩＣタグリーダ５２でこの鍵ホルダ１１のＩＣタグ４３から鍵類識別番号を読み出し、この鍵類識別番号がこの鍵保持部３１の鍵類識別番号に一致しているか否かを確認する。これらの鍵類識別番号が一致している場合のみ、鍵１０の付いた鍵ホルダ１１の返却を検出して、鍵ロック機構４６でこの鍵ホルダ１１をロック状態とする。それとともに、制御部１１５は、記憶部１１６に記憶されているこの鍵類識別番号を有する最新の持出状況データの返却時刻に、この鍵１０の付いた鍵ホルダ１１を検出した時刻を書き込む。
【００７２】
他方、制御部１１５は、鍵保持部３１および鍵１０の鍵類識別番号が一致しない場合に鍵ロック機構４６による鍵ホルダ１１のロックをせず、この鍵保持部３１の操作ボタン５１の表示ランプ５０を点灯させ、ブザー２６による報知音および表示部２２へのアラーム表示（正しい操作を誘導する表示を含む）等を発生させる。
【００７３】
「交換モード」
交換モードについて説明する。カードリーダ２４にＩＤカード２３が走査された後、交換モードが選択され、鍵１０の管理許可のために設定された暗証番号が操作部２１に入力される。すると、制御部１１５は、カードリーダ２４で読み取ったＩＤカード２３の担当者識別番号および操作部２１に入力された暗証番号を権限記憶部１４１に記憶されたデータと照合することで担当者識別番号および暗証番号が交換モードを実行するにあたって適正であるか否かを判定する。適正である場合、つまり交換モードを実行する特定の権限を付与された担当者識別番号および暗証番号が入力された場合、制御部１１５は、カバーロック機構３５を駆動してカバー１６のロックを解除するとともに、表示部２２に、交換する鍵保持部３１の選択操作を促す画面を表示させるとともに、入力された担当者識別番号に対して登録済みで交換可能の鍵類識別番号を有する鍵保持部３１に対して設けられた操作ボタン５１の表示ランプ５０を点滅させる。担当者は、カバー１６を開き、表示ランプ５０が点滅している操作ボタン５１の中から、交換する所望の鍵保持部３１の操作ボタン５１を押す（一つでも良いし複数でも良い）。
【００７４】
すると、制御部１１５は、操作ボタン５１が押された鍵保持部３１の鍵類識別番号が選択指定されたことを認識することになり、この操作ボタン５１が設けられた鍵保持部３１の鍵ロック機構４６を駆動しロックを解除して、鍵ホルダ１１を取り外し可能とするとともに、この状態を案内するべく、この操作ボタン５１の表示ランプ５０を点滅から点灯に切り替える。このように鍵保持部３１のロック状態が解除されることにより担当者が鍵保持部３１から鍵ホルダ１１を取り外すことになる。なお、操作部２１への鍵類識別番号の入力でも、制御部１１５が、選択指定された鍵保持部３１を認識して、その鍵ロック機構４６を駆動しロックを解除するとともに表示ランプ５０を点滅から点灯に切り替えるようになっている。操作ボタン５１あるいは操作部２１で指定された鍵保持部３１に保持された鍵ホルダ１１は、後述するように連結機構６１による鍵１０の連結状態を解除する対象であり、操作ボタン５１の表示ランプ５０は、点滅から点灯に切り替わることで、指定された鍵ホルダ１１を案内する。
【００７５】
鍵保持部３１から鍵ホルダ１１が取り外されると、制御部１１５は、この鍵保持部３１のＩＣタグリーダ５２が、鍵ホルダ１１のＩＣタグ４３と通信不可となることでその取り外しを検出する。すると、制御部１１５は、この鍵ホルダ１１の取り外しに際して読み取ったＩＤカード２３の担当者識別番号と、操作ボタン５１が押圧された鍵保持部３１の鍵類識別番号と、操作ボタン５１が押された鍵保持部３１からの鍵ホルダ１１の取外時刻と、この鍵ホルダ１１の鍵１０の付替時刻（この時点では付け替え前であるためデータは空欄とされる）と、操作ボタン５１が押された鍵保持部３１への再取付時刻（この時点では再取り付け前であるためデータは空欄とされる）と、を含む付替状況データを記憶部１１６に記憶させる。また、この付替状況データには、収納部３４の解除具１０１の使用が開始された解除具使用開始時刻（この時点では使用前であるためデータは空欄とされる）と、解除具１０１の使用が終了した解除具使用終了時刻（この時点では使用前であるためデータは空欄とされる）とが含まれる。
【００７６】
図８（ｂ）に示す付替状況データの一例においては、「０２１」の鍵類識別番号の鍵保持部３１から鍵ホルダ１１を、「７１１」の担当者識別番号の担当者が、「１３：１５」の取外時刻で取り外し、「１３：２１」の再取付時刻で適正に取り付けたこと、および、その間、「０００」の識別番号の収納部３４に対し、解除具１０１を、「７１１」の担当者識別番号の担当者が、「１３：１６」の解除具使用開始時刻で使用を開始し、「１３：２０」の解除具使用終了時刻で使用を終了したことを表している。つまり、制御部１１５は、ＩＣタグリーダ５２の検出結果である取外時刻および再取付時刻と、ＩＣタグリーダ１０７の検出結果である付替時刻とを鍵類識別番号と関連付けて記憶部１１６に記憶させる。
【００７７】
そして、制御部１１５は、鍵１０の付け替えが行われるたびに、記憶部１１６に、上記した付替状況データを、時系列的に並べて記憶させ、記憶用ログデータを作成する。
【００７８】
次に、制御部１１５は、表示部２２に、鍵ホルダ１１が取り外された鍵保持部３１の交換後の鍵１０の用途情報の入力を促す画面を表示させ、用途情報の入力を受け付ける状態となる。担当者は、操作部２１の操作キー２１ａを用いたカナ入力および英字入力等で用途情報を入力し直す。例えば、図７に一例を示すように、鍵類識別番号の「００１」に対する用途情報として、それまでとは変更して「キンコ  トビラ」を入力したり、鍵類識別番号の「００２」に対する用途情報として、それまでとは変更して「ＡＴＭ１ゴウキ  トビラ」を入力したり、鍵類識別番号の「００３」に対する用途情報として、それまでとは変更して「ＡＴＭ１ゴウキ  シュウノウコＡ  カギ」を入力したり、鍵類識別番号の「００４」に対する用途情報として、それまでとは変更して「ＡＴＭ１ゴウキ  カイシュウコ
カギ」を入力したりする。このように入力が行われると、制御部１１５は、この入力時に選択指定された鍵類識別番号に対して、この用途情報を関連付けて記憶部１１６に記憶させる。つまり、制御部１１５は、操作ボタン５１あるいは操作部２１への鍵保持部３１の選択指定を受け付けると、当該選択指定された鍵保持部３１の鍵類識別番号と、当該選択指定に関連して操作部２１によって入力された用途情報とを関連付けて記憶部１１６に記憶させる。
【００７９】
用途情報の入力が完了した旨の操作入力が操作部２１に入力されると、制御部１１５は、鍵１０の付け替えを促す画面を表示部２２に表示させるとともに、収納部３４に対して設けられた操作ボタン１１４の表示ランプ１１３を点滅させる。これを見て、担当者は、操作ボタン１１４を押圧操作することになる。すると、制御部１１５は、表示ランプ１１３を点滅から点灯に切り替えるとともに、扉ロック機構１１１を駆動して収納部３４の開閉扉１１０のロックを解除する。その後、担当者は、収納部３４の開閉扉１１０を開く。
このように、制御部１１５は、ＩＤカード２３の担当者識別番号および入力された暗証番号の認証結果に基づいて解除具１０１へのアクセスを許諾する。なお、開閉扉１１０を開くと、閉検出センサ１１２がこれを検出することになり、その時点で制御部１１５は、その時刻を、上記した付替状況データの解除具１０１の解除具使用開始時刻として記憶部１１６に記憶させる。
【００８０】
そして、担当者は、上記したように、収納部３４に連結部材４１の連結部材本体６３を挿入し、解除具１０１を鍵溝９１に進入させることで、スライド規制部７２によるスライド体７０の規制を解除した後、スライド体７０をケース６９に対し相対移動させて、ロック解除位置まで移動させる。そして、この状態を維持しながら、線状部材６２を連結部材本体６３から取り外して、線状部材６２から、それまで取り付けられていた古い鍵１０を外して新しい鍵１０を取り付ける付け替えを行う。
【００８１】
なお、収納部３４に連結部材本体６３を挿入すると、連結部材本体６３に設けられた図５（ｂ）に示すＩＣタグリーダ１０７が連結部材本体６３のＩＣタグ１００から鍵類識別番号を読み取ることになり、制御部１１５は、この鍵類識別番号が、選択指定された鍵保持部３１の鍵類識別番号と一致する場合、その時刻を、この鍵類識別番号における付替状況データの付替時刻として記憶部１１６に記憶させる。鍵類識別番号が一致しない場合は、ブザー２６による報知音および表示部２２へのアラーム表示（正しい操作を誘導する表示を含む）等のアラームを発生させ、鍵類識別番号が一致するまで待機する。
【００８２】
線状部材６２の鍵１０を付け替えると、担当者は、ロック解除位置にあるスライド体７０に線状部材６２を取り付けることになり、その後、連結部材本体６３を収納部３４から引き抜くと解除具１０１がスライド体７０をケース６９に対しロック位置まで移動させてロックした後、抜け出す。
【００８３】
そして、担当者は、鍵ホルダ１１の着脱部材４０の鍵識別表記部４４と同じ表記の保持部識別表記部５３を有する鍵保持部３１の着脱部材装着穴４５に、鍵１０の付け替えが終わった鍵ホルダ１１の着脱部材４０を挿入することになる。すると、鍵保持部３１は、ＩＣタグリーダ５２が着脱部材４０のＩＣタグ４３と通信して鍵類識別番号を読み出すことになり、この鍵類識別番号と、この鍵類識別番号を検出したＩＣタグリーダ５２を有する鍵保持部３１の鍵類識別番号とが一致していれば、鍵ロック機構４６で鍵ホルダ１１をロックするとともにこの鍵保持部３１に対して設けられた操作ボタン５１の表示ランプ５０を点滅させる。鍵類識別番号が一致しない場合はロックせずに、ブザー２６による報知音および表示部２２へのアラーム表示（正しい操作を誘導する表示を含む）等を発生させ、鍵類識別番号が一致するまで待機する。なお、鍵類識別番号が一致すると、制御部１１５は、その時刻を、上記した付替状況データの再取付時刻として記憶部１１６に記憶させる。
【００８４】
このような、鍵保持部３１の操作ボタン５１の選択指定のステップ、用途情報の入力のステップ、選択指定された鍵保持部３１の鍵類識別番号および用途情報の関連付け記憶のステップ、鍵ホルダ１１の連結部材４１のＩＣタグ１００からのＩＣタグリーダ１０７による鍵類識別番号の検出および鍵類識別番号の一致確認のステップ、鍵ホルダ１１の着脱部材４０のＩＣタグ４３からのＩＣタグリーダ５２による鍵類識別番号の検出および鍵類識別番号の一致確認のステップを、鍵１０の数分行う。その最中に、記憶部１１６に記憶された基準のステップデータと比較することにより、例えば、閉検出センサ１１２による開閉扉１１０の開検出のステップの前や、鍵ホルダ１１の連結部材４１のＩＣタグ１００からのＩＣタグリーダ１０７による鍵類識別番号の検出のステップの前に、鍵ホルダ１１の着脱部材４０のＩＣタグ４３からのＩＣタグリーダ５２による鍵類識別番号の検出のステップが行われる等、ステップの順序に誤りがあると、制御部１１５は、ブザー２６による報知音および表示部２２へのアラーム表示（正しい操作を誘導する表示を含む）等を発生させる。
【００８５】
鍵１０の付け替えが完了すると、担当者は、収納部３４の開閉扉１１０を閉じる。すると、閉検出センサ１１２がこれを検出することになり、制御部１１５は、扉ロック機構１１１により開閉扉１１０を閉状態でロックするとともに、表示部２２に、カバー１６を閉じる操作を促す表示を行う。すると、担当者は、カバー１６を閉じる。すると、カバー１６の係合突起部１８が、装置主体部１４の係合挿入穴３２に進入するとともに、カバー１６の検出突起部１９が、装置主体部１４の検出挿入穴３３に進入することになり、この検出突起部１９を閉検出センサ３７が検出すると、カバーロック機構３５が自動的にカバー１６を閉状態でロックして交換モードを終了する。この場合も、検出突起部１９を閉検出センサ３７が検出した状態で操作部２１にロック操作が入力されるとカバーロック機構３５がカバー１６を閉状態でロックするようにしても良い。
【００８６】
なお、閉検出センサ１１２が開閉扉１１０の閉状態を検出すると、制御部１１５は、その時刻を、上記した付替状況データの解除具使用終了時刻として記憶部１１６に記憶させることになる。この場合も、記憶部１１６に記憶された基準のステップデータと比較することにより、例えば、閉検出センサ１１２による開閉扉１１０の開検出のステップの前や、鍵ホルダ１１のＩＣタグ１００からのＩＣタグリーダ１０７による鍵類識別番号の検出のステップの前、さらには鍵ホルダ１１のＩＣタグ４３からのＩＣタグリーダ５２による鍵類識別番号の再検出のステップが行われる前に、閉検出センサ３７が検出突起部１９つまりカバー１６の閉状態を検出する等、ステップの順序に誤りがあると、制御部１１５は、ブザー２６による報知音および表示部２２へのアラーム表示（正しい操作を誘導する表示を含む）等を発生させる。
【００８７】
以上により、制御部１１５は、操作ボタン５１の表示ランプ５０で案内した鍵保持部３１に保持された鍵ホルダ１１が装置本体１２から取り外されるステップと、開閉扉１１０が開状態となり解除具１０１にアクセスされるステップと、当該取り外された鍵ホルダ１１が装置本体１２に再装着されるステップと、ＩＣタグリーダ１０７がＩＣタグ１００から鍵類識別番号を読み取るステップとを確認する。そして、制御部１１５は、ステップの予め記憶部１１６に登録された所定の順序と、ステップの実際の操作の際に進行した順序との一致確認を行い、当該一致確認結果についての報知を行う。
【００８８】
なお、交換モードにて、交換可能な鍵類識別番号を有する鍵保持部３１のロックを操作ボタン５１で解除可能とする際に、収納部３４の開閉扉１１０のロックを操作ボタン１１４で操作可能とするようにして、鍵１０の付け替え後、対象となる鍵保持部３１の着脱部材装着穴４５に鍵ホルダ１１を挿入しＩＣタグリーダ５２が鍵ホルダ１１のＩＣタグ４３と通信して鍵類識別番号の一致を確認してから、この鍵類識別番号に対応する用途情報の操作部２１への入力を行うようにしても良い。
【００８９】
「新規登録モード」
新規登録モードでは、制御部１１５が、新規登録モードを実行する特定の権限を付与された担当者識別番号および暗証番号が入力された場合に限り、カバーロック機構３５を駆動してカバー１６のロックを解除する以外は、交換モードとほぼ同様である。
【００９０】
「ログ出力モード」
ログ出力モードについて説明する。カードリーダ２４にＩＤカード２３が走査された後、ログ出力モードが選択され、鍵１０の管理許可のために設定された暗証番号が操作部２１に入力される。すると、制御部１１５は、カードリーダ２４で読み取ったＩＤカード２３の担当者識別番号および操作部２１に入力された暗証番号を権限記憶部１４１に記憶されたデータと照合することで担当者識別番号および暗証番号がログ出力モードを実行するにあたって適正であるか否かを判定する。適正である場合、制御部１１５は、記憶部１１６に記憶されている上記した記憶用ログデータを読み出し、この記憶用ログデータを構成する各持出状況データおよび各付替状況データにある鍵類識別番号（つまり選択指定を受け付けた鍵保持部３１の鍵類識別番号）のそれぞれについて、関連する用途情報を記憶部１１６から読み出して、各持出状況データおよび付替状況データの中にそれぞれ対応する用途情報を含ませる。
【００９１】
このようにして、それぞれが用途情報を含む持出状況データおよび付替状況データが時系列的に並べられた図９に示すような出力用ログデータ（用途情報を含むログ情報）を作成する。図９に示す出力用ログデータの一例においては、「２０１２／３／３」の日付の日に、「００１」の鍵類識別番号の鍵保持部３１から「キンコ  トビラ」の鍵１０を、「７７７」の担当者識別番号の担当者が、「１０：１０」の持出時刻で持ち出し、「１０：２０」の返却時刻で返却したこと、「００２」の鍵類識別番号の鍵保持部３１から「ＡＴＭ１ゴウキ  トビラ」の用途情報を有する鍵１０を、「７８９」の担当者識別番号の担当者が、「１０：１５」の持出時刻で持ち出し、「１０：２５」の返却時刻で返却したこと、「００３」の鍵類識別番号の鍵保持部３１から「ＡＴＭ１ゴウキ  シュウノウコＡ  カギ」の用途情報を有する鍵１０を、「７８９」の担当者識別番号の担当者が、「１０：１６」の持出時刻で持ち出し、「１０：２６」の返却時刻で返却したこと、「００４」の鍵類識別番号の鍵保持部３１から「ＡＴＭ１ゴウキ  カイシュウコ  カギ」の用途情報を有する鍵１０を、「７８９」の担当者識別番号の担当者が、「１０：１７」の持出時刻で持ち出し、「１０：２７」の返却時刻で返却したことを表している。
【００９２】
加えて、図９に示す出力用ログデータの一例においては、「０２１」の鍵類識別番号の鍵保持部３１から、鍵１０の付いた鍵ホルダ１１を、「７１１」の担当者識別番号の担当者が、「１３：１５」の取外時刻で取り外し、「１３：２１」の再取付時刻で適正に取り付けたこと、および、「キンコ  トビラ」に用途を変更したことを表している。さらには、「０００」の識別番号の収納部３４に対し、解除具１０１を、「７１１」の担当者識別番号の担当者が、「１３：１６」の解除具使用開始時刻で使用を開始し、「１３：２０」の解除具使用終了時刻で使用を終了したことを表している。つまり、制御部１１５および記憶部１１６は、操作の際に進行したステップの順序の確認状況を履歴として残す。
その際に、間違えた手順についても履歴を残す。例えば、複数の鍵ホルダ１１を指定して鍵１０の付け替えを行った場合には、履歴から、何れの鍵ホルダ１１から順番に鍵１０の付け替えを行ったかについてもわかることになる。
【００９３】
ここで、出力用ログデータは、例えば、前回出力が行われた出力用ログデータに含まれる持出状況データおよび付替状況データよりも後に記憶された持出状況データおよび付替状況データからなるもの、出力する当日に記憶された持出状況データおよび付替状況データからなるもの、操作部２１へ指定入力された日付あるいは期間の日に記憶された持出状況データおよび付替状況データからなるもの等である。
【００９４】
そして、制御部１１５は、このようにして作成した出力用ログデータをプリンタ部２５で用紙に出力させる。なお、出力用ログデータをプリンタ部２５で用紙に出力させるのではなく、別途のパーソナルコンピュータからなるデータ管理装置に出力して記憶させても良く、用紙への出力とデータ管理装置への記憶との両方を行っても良い。
【００９５】
なお、制御部１１５は、上記のように操作部２１で出力操作を受け付けるとプリンタ部２５で出力用ログデータを出力させるのではなく、主電源がオンされた基準時点から、予め設定された所定の時間が経過したか否かを判断し、この所定の時間が経過したと判断した場合に、出力用ログデータを用紙あるいは別途のデータ管理装置に出力するようにしても良い。あるいは、前回出力用ログデータを出力した基準時点から、予め設定された所定の時間（例えば一週間）が経過したか否かを判断し、この所定の時間が経過したと判断した場合に、出力用ログデータを用紙あるいは別途のデータ管理装置に出力するようにしても良い。あるいは、制御部１１５は、その時計機能を利用して、予め設定された所定の時刻となったか否かを判断し、所定の時刻になったと判断した場合に、出力用ログデータを用紙あるいは別途のデータ管理装置に出力するようにしても良い。さらには、これらを適宜組み合わせるようにしても良い。
【００９６】
なお、連結部材本体６３が線状部材６２をロックして線状部材６２からの鍵１０の取り外しを抑制する方法は、特定の方法に依存しない。従って、連結部材本体６３が線状部材６２をロックして線状部材６２からの鍵１０の取り外しを抑制する方法として上述した方法に限らずいろいろな方法を適用することができる。
【００９７】
次に、図１０〜図１３を参照して、複数の鍵ホルダ１１の取り出しおよび返却の際の鍵管理装置１の動作について説明する。以下では、上述した持出・返却モードをさらに持出モードと返却モードとに細分化し、それぞれのモードについて説明する。
図１０は、複数の鍵ホルダ１１が取り出される場合の鍵管理装置１の処理手順の例を示す図である。
（シーケンスＳ１０１）
操作者（担当者）は、カードリーダ２４にＩＤカードを通す。カードリーダ２４は、通されたＩＤカードを読み取る。
【００９８】
（シーケンスＳ１０２）
操作部２１は、操作者による暗証番号の入力を受け付ける。
このように、操作者は、ＩＤカードによる認証と暗証番号による認証（パスワード認証）との両方の認証を受ける。但し、鍵管理装置１における操作者の認証は、ＩＤカード及び暗証番号による方法に限らない。例えば、認証部１３１が、ＩＤカードによる認証または暗証番号による認証のいずれか一方のみを行うようにしてもよい。あるいは、認証部１３１が、ＩＤカードによる認証及び暗証番号による認証に加えて、あるいは代えて、顔認証など他の方法による認証を行うようにしてもよい。
【００９９】
（シーケンスＳ１０３）
操作部２１がモード選択操作を受け付ける。図１０の例では、持出モードが選択されている。
（シーケンスＳ１０４）
認証部１３１がユーザ認証を行う。具体的には、認証部１３１は、シーケンスＳ１０１でカードリーダ２４が読み取ったＩＤカード、及び、シーケンスＳ１０２で操作部２１が受け付けた暗証番号に基づいて操作者を特定する。そして、認証部１３１は、ＩＤカードから得られた情報で特定された操作者と暗証番号とが整合し、且つ、特定された操作者がシーケンスＳ１０３で選択されたモードの権限を有している場合にユーザ認証成功と判定する。
図１０の例では、認証部１３１はユーザ認証に成功している。
なお、認証部１３１がユーザ認証に失敗した場合、表示部２２がユーザ認証に失敗した旨のメッセージを表示する。そして、鍵管理装置１は、シーケンスＳ１０１に戻ってカードリーダにＩＤカードが通されるのを待ち受ける。
【０１００】
（シーケンスＳ１０５）
制御部１１５は、扉ロック機構１１１を制御してカバー１６のロックを解除する。そして、操作者がカバー１６を開く。
（シーケンスＳ１１１）
制御部１１５は、対応情報記憶部１４２が記憶している対応情報を参照して、操作者が取り出す権限を有している第一鍵ホルダ候補を読み出す。そして、制御部１１５は、第一鍵ホルダ候補を保持している鍵保持部３１の表示ランプ５０を点滅させる。第一鍵ホルダ候補は、認証された操作者が１つの鍵ホルダ１１単独で取り出す権限を有している鍵ホルダ１１、及び、複数の鍵ホルダ１１の組み合わせで取り出す権限を有している鍵ホルダ１１のうち、対応情報で１番目に取り出すよう設定されている鍵ホルダ１１である。
【０１０１】
（シーケンスＳ１１２）
制御部１１５は、操作者による操作ボタン５１の押下を待ち受ける。
（シーケンスＳ１１３）
表示ランプ５０が点滅している操作ボタン５１が押下されている。この場合、制御部１１５は、操作ボタン５１を押下された鍵保持部３１が保持している鍵ホルダ１１に対するロックを解除する。また、制御部１１５は、この表示ランプ５０を点灯させる。
なお、表示ランプ５０が点滅していない操作ボタン５１が押下された場合、制御部１１５は、取り出し不可の鍵ホルダ１１が選択された旨のエラーメッセージを表示部２２に表示させ、表示ランプ５０が点滅していない操作ボタン５１の押下を待ち受ける。
【０１０２】
（シーケンスＳ１１４）
ＩＣタグリーダ５２が、シーケンスＳ１１２で選択された鍵ホルダ１１の取り出しを検出している。
なお、操作者が、シーケンスＳ１１２で選択した鍵ホルダ１１以外の鍵ホルダ１１を取り出そうとした場合、取り外し操作検出部４７が取り出し操作を検出する。この鍵ホルダ１１は、装置本体１２からの取り外しが抑制されている鍵ホルダ１１である。そして、制御部１１５は、表示部２２及びブザー２６を制御してエラー（取り出し時警報）を出力させる。例えば、制御部１１５は、ブザー２６を制御して警報音を出力させる。そして、制御部１１５は、正しい操作を促すメッセージを表示部２２に表示させる。
【０１０３】
（シーケンスＳ１２１〜Ｓ１２４）
シーケンスＳ１２１〜Ｓ１２４では、シーケンスＳ１１１〜Ｓ１１４で第一鍵ホルダ候補及び第一鍵ホルダに対して行われた処理が、第二鍵ホルダ候補及び第二鍵ホルダに対して行われている。第二鍵ホルダ候補は、認証された操作者が、取り出した第一鍵ホルダの次に取り出すよう対応情報に設定されている鍵ホルダ１１である。
なお、このシーケンスＳ１２１〜Ｓ１２４にあっては、今回の鍵取り出し後の操作において、第二鍵ホルダの使用を予定していない場合もあるため、このシーケンスＳ１２１〜Ｓ１２４をキャンセルして、シーケンスＳ１３１に進むこともできる。
【０１０４】
（シーケンスＳ１３１）
制御部１１５は、他の第一鍵ホルダ候補を保持している鍵保持部３１の表示ランプ５０を点滅させる。
なお、シーケンスＳ１２１〜Ｓ１２４で取り出された第二鍵ホルダの次に取り出すべき鍵ホルダがある場合は、制御部１１５は、この鍵ホルダの候補を保持している鍵保持部３１の表示ランプ５０を点滅させる。
なお、この場合も、今回の鍵取り出し後の操作において、第二鍵ホルダの次に取り出すべき鍵ホルダの使用を予定していない場合には、この場合のシーケンスをキャンセルすることができる。
【０１０５】
（シーケンスＳ１４１）
必要な鍵を鍵管理装置１から全て取り出した操作者が、カバー１６を閉じている。そして、閉検出センサ１１２が、カバーが閉じたことを検出している。
（シーケンスＳ１４２）
制御部１１５は、全ての表示ランプ５０を消灯させる。
（シーケンスＳ１４３）
制御部１１５は、ログ情報を更新して今回の処理を記録する。その後、図１０の処理を終了する。
【０１０６】
なお、操作ボタン５１の押下で選択された鍵ホルダ１１の取り出しに管理者（操作者以外の人）の承認が必要な場合、制御部１１５が表示部２２を制御して管理者の承認を促すメッセージを表示させる。
図１１は、管理者の承認を促すメッセージの例を示す図である。
【０１０７】
図１２は、複数の鍵ホルダ１１が鍵管理装置１に戻される場合の鍵管理装置１の処理手順の例を示す図である。
（シーケンスＳ２０１〜Ｓ２０２）
シーケンスＳ２０１〜Ｓ２０２は、シーケンスＳ１０１〜Ｓ１０２と同様である。
（シーケンスＳ２０３）
操作部２１がモード選択操作を受け付ける。図１２の例では、返却モードが選択されている。
（シーケンスＳ２０４〜Ｓ２０５）
シーケンスＳ２０４〜Ｓ２０５は、シーケンスＳ１０４〜Ｓ１０５と同様である。
【０１０８】
（シーケンスＳ２１１）
制御部１１５は、鍵ホルダ１１の返却先となる鍵保持部３１の候補の表示ランプ５０を点滅させる。例えば、制御部１１５は、鍵ホルダ１１の持ち出しの履歴を参照して、認証された操作者が持ち出した鍵ホルダ１１を検出する。そして制御部１１５は、操作者が持ち出して鍵ホルダ１１の返却先の鍵保持部３１の表示ランプ５０を点滅させる。あるいは、制御部１１５が、認証された作業者が持ち出しの権限を有している鍵ホルダ１１が持ち出されている全ての鍵保持部３１の表示ランプ５０を点滅させるようにしてもよい。
対応情報で対応付けられている鍵が持ち出されている場合、制御部１１５は、対応情報で先に返却するよう設定されている鍵ホルダ１１の返却先の鍵保持部３１の表示ランプ５０を点滅させる。第三鍵ホルダ候補は、１つの鍵ホルダ１１単独で返却される鍵ホルダ１１、及び、対応情報で先の返却するよう設定されている鍵ホルダ１１とである。
なお、鍵の取り出し操作において説明したように、対応情報で対応付けられている鍵であっても、後から取り出すべき鍵が取り出されていないこともあり得る。このような場合には、あくまでも、取り出された範囲の鍵であって、且つ、それらの中で、対応情報で先の返却を設定されている鍵ホルダ１１が、ここで示すところの第三鍵ホルダ候補となる。
【０１０９】
（シーケンスＳ２１２）
操作者は、鍵保持部３１へ鍵を戻し入れる（返却する）。ＩＣタグリーダ５２が鍵の返却を検出する。
（シーケンスＳ２１３）
制御部１１５は、返却された鍵ホルダ１１が適切か否かを判定する。特に制御部１１５は、第三鍵ホルダ候補（対応情報で先に返却するよう設定されている鍵ホルダ１１）が返却される前に、第四鍵ホルダ候補（対応情報で第三鍵ホルダ候補が返却された後に返却される設定の鍵ホルダ１１）が返却された場合を不適切な返却として検出する。
シーケンスＳ２１３では、制御部１１５は、鍵ホルダ１１の返却が適切であると判定している。
【０１１０】
（シーケンスＳ２１４）
制御部１１５は、鍵ロック機構４６を制御して、シーケンスＳ２１２で返却された鍵ホルダ１１をロックする。ロックにより、操作者がロックされた鍵ホルダ１１を引っ張っても鍵保持部３１から取り出せない状態になる。
（シーケンスＳ２１５）
制御部１１５は、シーケンスＳ２１４で返却されロックされた鍵ホルダ１１を保持している鍵保持部３１の表示ランプ５０を消灯させる。
なお、制御部１１５が、シーケンスＳ２１４で返却されロックされた鍵ホルダ１１を保持している鍵保持部３１の表示ランプ５０を、点灯させるようにしてもよい。この表示ランプ５０の点灯により、返却された鍵ホルダ１１が示される。従って、操作者は鍵ホルダ１１の返却を確認することができる。
【０１１１】
（シーケンスＳ２２１〜Ｓ２２５）
シーケンスＳ２２１〜Ｓ２２５では、シーケンスＳ２１１〜Ｓ２１５で第三鍵ホルダ候補及び第三鍵ホルダに対して行われた処理が、第四鍵ホルダ候補及び第四鍵ホルダに対して行われている。上記のように、第四鍵ホルダ候補は、操作者が第三鍵ホルダの次に返却するよう対応情報に設定されている鍵ホルダ１１である。
【０１１２】
（シーケンスＳ２３１）
制御部１１５は、他の第三鍵ホルダ候補の返却先の鍵保持部３１の表示ランプ５０を点滅させる。
なお、シーケンスＳ２２１〜Ｓ２２５で返却された第四鍵ホルダの次に返却すべき鍵ホルダの候補がある場合は、制御部１１５は、この鍵ホルダの候補の返却先の鍵保持部３１の表示ランプ５０を点滅させる。
【０１１３】
（シーケンスＳ２４１）
鍵管理装置１に返却する鍵を全て返却し終えた操作者が、カバー１６を閉じている。そして、閉検出センサ１１２が、カバーが閉じたことを検出している。
（シーケンスＳ２４２〜Ｓ２４３）
シーケンスＳ２４２〜Ｓ２４３は、シーケンスＳ１４２〜Ｓ１４３と同様である。
シーケンスＳ２４３の後、図１２の処理を終了する。
【０１１４】
図１３は、複数の鍵ホルダ１１が鍵管理装置１に戻される場合の鍵管理装置１の処理手順の、もう１つの例を示す図である。図１３では、不適切な鍵ホルダ１１の返却が行われた場合の例について説明する。
（シーケンスＳ３０１〜Ｓ３１２）
シーケンスＳ３０１〜Ｓ３１２は、シーケンスＳ２０１〜Ｓ２１２と同様である。
【０１１５】
（シーケンスＳ３１３）
シーケンスＳ３１３では、シーケンスＳ２１３の場合と同様、制御部１１５は、返却された鍵ホルダ１１が適切か否かを判定する。但し、シーケンスＳ３１３では、シーケンスＳ２１３の場合と異なり、制御部１１５は、鍵ホルダ１１の返却が不適切であると判定している。
（シーケンスＳ３１４）
制御部１１５は、表示部２２及びブザー２６を制御してエラー（戻し入れ時警報）を出力させる。例えば、制御部１１５は、ブザー２６を制御して警報音を出力させる。そして、制御部１１５は、返却された鍵ホルダ１１を取り出して正しい鍵ホルダ１１を返却するよう促すメッセージを表示部２２に表示させる。
【０１１６】
図１４は、表示部２２が戻し入れ時警報にて表示するメッセージの例を示す図である。図１４では、鍵ホルダＮｏ．３が返却される前に鍵ホルダＮｏ．２が返却された場合のメッセージの例を示している。表示部２２は、図１４のメッセージにて、鍵ホルダＮｏ．３を先に返却すべきあることを示し、鍵ホルダＮｏ．２を鍵保持部３１から取り出すよう操作者に促している。
【０１１７】
（シーケンスＳ３１５）
制御部１１５は、シーケンスＳ３１２で返却された鍵の取り出しを待ち受ける。その際、制御部１１５は、操作者による他の操作を禁止する。具体的には、制御部１１５は、シーケンスＳ３１２で返却された鍵の取り出し以外の操作を全てエラーとして扱い、正しい操作を促すメッセージを表示部２２に表示させる。
【０１１８】
（シーケンスＳ３１６〜Ｓ３１９）
シーケンスＳ３１６〜Ｓ３１９は、シーケンスＳ２１２〜Ｓ２１５と同様である。
このように、返却不適切と判定された鍵のシーケンスＳ３１５での取り出しが確認されると、制御部１１５は、その鍵が返却される前の状態に戻って引き続き処理を行う。
（シーケンスＳ３２１〜Ｓ３４３）
シーケンスＳ３２１〜Ｓ３４３は、シーケンスＳ２２１〜Ｓ２４３と同様である。
シーケンスＳ３４３の後、図１３の処理を終了する。
なお、第４鍵以降の鍵が不適切であった場合も、制御部１１５は、シーケンスＳ３１４〜Ｓ３１５と同様に、返却された鍵の取り出しを待ち受ける。鍵が取り出されると、制御部１１５は、その鍵が返却される前の状態に戻って引き続き処理を行う。
【０１１９】
このように、制御部１１５は、鍵ホルダ１１毎に、鍵ホルダ１１の装置本体１２からの取り外しに対する鍵ロック機構４６による抑制の有無を制御する。特に、制御部１１５は、第一の鍵ホルダ１１の装置本体への装着の有無に基づいて、第二の鍵ホルダ１１の装置本体からの取り外しの抑制の有無を制御する。第一の鍵ホルダ１１は、第一重要物の例に該当する。第二の鍵ホルダ１１は、第二重要物の例に該当する。また、第二の鍵ホルダ１１は第一の鍵ホルダ１１とは異なる鍵ホルダ１１である。
また、制御部１１５は、第一の鍵ホルダ１１が装置本体１２に装着されている場合、第二の鍵ホルダ１１の装置本体１２からの取り外しを鍵ロック機構４６に抑制させる。
【０１２０】
なお、鍵ホルダ１１の戻し入れの順序が対応情報での設定と前後した場合でも、対応付けられている全ての鍵ホルダ１１の返却をＩＣタグリーダ５２が検出した場合は、制御部１１５がエラー処理を抑制するようにしてもよい。
例えば、図１４を参照して、鍵ホルダＮｏ．３、鍵ホルダＮｏ．２の順に返却するよう対応情報に設定されているのに対して、鍵ホルダＮｏ．３より先に鍵ホルダＮｏ．２が返却されたために制御部１１５がエラー処理した例について説明した。このように、鍵ホルダ１１の返却順序を決めておき、誤った順序での返却に対して警報を出力することで、操作者が複数の鍵ホルダ１１のうち一部のみを返却して、残りの鍵ホルダ１１を返却し忘れる可能性を低減させることができる。
【０１２１】
一方、対応情報の設定と返却順序が異なっている場合でも、複数の鍵ホルダ１１の全てが返却された場合は、鍵ホルダ１１の返却し忘れを防止するという目的は達成されている。従って、制御部１１５がこの返却を正しい返却として処理するようにしても差し支えない。
そこで、制御部１１５は、対応情報の設定と異なる順序で鍵ホルダ１１の返却が行われた場合、所定の時間（例えば１０秒間）は、エラーとせずに他の鍵ホルダ１１の返却を待ち受ける。
【０１２２】
例えば、鍵ホルダＮｏ．３、鍵ホルダＮｏ．２の順に返却するよう対応情報に設定されているのに対して、鍵ホルダＮｏ．３より先に鍵ホルダＮｏ．２が返却された場合、制御部１１５は、鍵ホルダＮｏ．２の返却から１０秒間は、鍵ホルダＮｏ．３の返却を待ち受ける。
１０秒以内に鍵ホルダＮｏ．３が返却された場合、制御部１１５は、鍵ホルダＮｏ．２、Ｎｏ．３のいずれの返却も正しい返却として、鍵ホルダのロック及び表示ランプの消灯等の処理を行う。
一方、１０秒以内に鍵ホルダＮｏ．３が返却されなかった場合、制御部１１５は、図１４を参照して説明したのと同様にエラー処理を行う。
【０１２３】
このように、対応情報で対応付けられている全ての鍵ホルダ１１の返却が確認された場合は、制御部１１５が正しい返却として扱うことで、返却に融通を持たせて操作者の利便性を向上させることができる。特に、操作者が、一旦鍵ホルダ１１を取り出して正しい順序で返却し直す作業負荷を軽減させることができる。
【０１２４】
なお、所定の緊急操作が行われた場合に、制御部１１５が、鍵ロック機構４６を制御して全ての鍵ホルダ１１の取り出しの抑制を解除させるようにしてもよい。さらに、緊急操作が行われた場合、制御部１１５が、警報の出力を抑制するようにしてもよい。
これにより、操作者は、災害など不測の事態の発生時に、必要な鍵を取り出して不測の事態に対応することができる。
【０１２５】
以上のように、鍵ロック機構４６は、鍵ホルダ１１毎に装置本体１２からの取り外しを抑制する。そして、制御部１１５は、鍵ホルダ１１毎に、この鍵ホルダ１１の装置本体１２からの取り外しに対する鍵ロック機構４６による抑制の有無を制御する。制御部１１５は、第一の鍵ホルダ１１の装置本体１２への装着の有無に基づいて、複数の鍵ホルダ１１のうち第一の鍵ホルダとは異なる第二の鍵ホルダ１１の装置本体１２からの取り外しの抑制の有無を制御する。
このように、制御部１１５が複数の鍵ホルダ１１を対応付けて管理することで、これら複数の鍵ホルダ１１のうち一部の取り出し忘れ、又は戻し入れ忘れの可能性を低減させることができる。
【０１２６】
例えば、制御部１１５は、第一の鍵ホルダ１１が装置本体１２に装着されている場合、第二の鍵ホルダ１１の装置本体１２からの取り外しを鍵ロック機構４６に抑制させる。
これにより、操作者が、第二の鍵ホルダ１１のみを取り出し、第二の鍵ホルダ１１とセットで用いられる第一の鍵ホルダを取り出し忘れることを防止し得る。
【０１２７】
また、権限記憶部１４１は、鍵管理装置１から鍵ホルダ１１を取り外す操作者毎に、当該操作者が取り外し権限を有している鍵ホルダ１１を記憶する。認証部１３１は、操作者を特定する。そして、制御部１１５は、認証部１３１が特定した操作者が取り外し権限を有していない鍵ホルダ１１の装置本体１２からの取り外しを鍵ロック機構４６に抑制させる。
これにより、鍵管理装置１では、操作者毎に鍵ホルダ１１の取り出しの権限を設定し、設定に従って鍵ホルダ１１を管理する（鍵ホルダ１１が保持している鍵を管理する）ことができる。
【０１２８】
また、取り外し操作検出部４７は、鍵ホルダ１１毎に、装置本体１２からの鍵ホルダ１１の取り外し操作を検出する。そして、表示部２２及びブザー２６は、装置本体１２からの取り外しが抑制されている鍵ホルダ１１の取り外し操作を取り外し操作検出部４７が検出した場合に警報を出力する。
これにより、鍵管理装置１は、正しい操作を行うよう操作者に促すことができ、複数の鍵ホルダ１１のうち一部の戻し忘れの可能性、及び、鍵ホルダ１１の不正な取り出しの可能性を低減させることができる。
【０１２９】
また、対応情報記憶部１４２は、２つ以上の鍵ホルダ１１が対応付けられた対応情報を記憶する。表示部２２及びブザー２６は、対応情報に基づく手順に反して鍵ホルダ１１が装置本体１２に戻し入れられた場合に警報を出力する。
これにより、鍵管理装置１は、正しい操作を行うよう操作者に促すことができ、複数の鍵ホルダ１１のうち一部の戻し忘れの可能性を低減させることができる。
【０１３０】
また、対応情報記憶部１４２は、２つ以上の鍵ホルダ１１の鍵管理装置１への戻し入れの順序を示す対応情報を記憶する。そして、表示部２２及びブザー２６は、第三の鍵ホルダ１１を戻し入れた後に第四の鍵ホルダ１１を戻し入れると対応情報で定められており、かつ、第三の鍵ホルダ１１が装置本体１２から取り外されている状態で、第四の鍵ホルダが装置本体１２に戻し入れられた場合に警報を出力する。
これにより、鍵管理装置１は、正しい操作を行うよう操作者に促すことができ、特に、第三の鍵ホルダ１１の戻し忘れの可能性を低減させることができる。
【０１３１】
また、表示部２２及びブザー２６は、対応情報で対応付けられている第五の鍵ホルダ１１及び第六の鍵ホルダ１１のうち、第五の鍵ホルダ１１が装置本体１２に戻し入れられ、かつ、第五の鍵ホルダの装置本体１２への戻し入れから所定時間が経過しても第六の鍵ホルダ１１が装置本体１２に戻し入れられていない場合に警報を出力する。
このように、表示部２２及びブザー２６が、鍵ホルダ１１の戻し入れから所定時間待った後に警報を出力することで、鍵管理装置１は、所定時間の間、他の鍵ホルダ１１の戻し入れを待ち受けることができる。所定時間内に対応付けられた鍵ホルダ１１が全て戻し入れられた場合に鍵管理装置１が正しい戻し入れとして受け入れることで、操作者が鍵ホルダ１１を一旦取り出して戻し入れをやり直す作業負荷を軽減させることができる。
【０１３２】
以上では、重要物管理装置について、鍵ホルダ１１に鍵１０を保持する鍵管理装置１を例に説明したが、重要物管理装置が保持する重要物は、鍵に限らずいろいろな物とすることができる。例えば、重要物管理装置が、社用車の鍵とＥＴＣカード（ＥＴＣは登録商標）とを対応付けて管理するなど、鍵に加えて、あるいは代えて、カードを保持し管理するようにしてもよい。例えば、カードに穴を設け、このカードに線状部材６２を通すことで、鍵管理装置１がカードを保持するようにしてもよい。
【０１３３】
なお、制御部１１５の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。また上記プログラムは、前述した機能の一部を実現するためのものであっても良く、さらに前述した機能をコンピュータシステムにすでに記録されているプログラムとの組み合わせで実現できるものであっても良い。
【０１３４】
以上、本発明の実施形態について図面を参照して詳述してきたが、具体的な構成はこの実施形態に限られるものではなく、この発明の要旨を逸脱しない範囲の設計変更等も含まれる。
【符号の説明】
【０１３５】
１  鍵管理装置
１０  鍵
１１  鍵ホルダ
１２  装置本体
２１  操作部
２２  表示部
２４  カードリーダ
２６  ブザー
３１  鍵保持部
４６  鍵ロック機構
４７  取り外し操作検出部
５０  表示ランプ
５１  操作ボタン
５２  ＩＣタグリーダ
６２  線状部材
６３  連結部材本体
１１５  制御部
１１６  記憶部
１３１  認証部
１４１  権限記憶部
１４２  対応情報記憶部
【図１】
0006722520.tif 000002
【図２】
0006722520.tif 000003
【図３】
0006722520.tif 000004
【図４】
0006722520.tif 000005
【図５】
0006722520.tif 000006
【図６】
0006722520.tif 000007
【図７】
0006722520.tif 000008
【図８】
0006722520.tif 000009
【図９】
0006722520.tif 000010
【図１０】
0006722520.tif 000011
【図１１】
0006722520.tif 000012
【図１２】
0006722520.tif 000013
【図１３】
0006722520.tif 000014
【図１４】
0006722520.tif 000015